(57)【要約】【課題】  所望の構図を作成することができ、かつ所望の構図に合致した所望の被写体像を確実に撮像することができる撮像装置を提供する。【解決手段】  被写体光の撮像を行ない撮像信号を生成する撮像素子６と、撮像信号に基づく被写体画像データを生成する画像処理部１０と、被写体画像データを記憶する第１記憶部１２と、構図画像データを取得する構図画像データ取得部４と、構図画像データ取得部４により取得した構図画像データを記憶する第２記憶部１１と、第１記憶部１１に記憶されている被写体画像データに基づく被写体画像と、第２記憶部１２に記憶されている構図画像データに基づく構図画像との合致率を検出する合致率検出部４と、合致率検出部４による検出結果に基づいて構図画像と被写体画像とが合致しているか否かを判定する判定部４とを備える。【選択図】  図１
2010021674.tif 000002
【特許請求の範囲】
【請求項１】
被写体光の撮像を行ない撮像信号を生成する撮像素子と、
前記撮像信号に基づく被写体画像データを生成する画像処理部と、
前記被写体画像データを記憶する第１記憶部と、
構図画像データを取得する構図画像データ取得部と、
前記構図画像データ取得部により取得した前記構図画像データを記憶する第２記憶部と、
前記第１記憶部に記憶されている前記被写体画像データに基づく前記被写体画像と、前記第２記憶部に記憶されている前記構図画像データに基づく構図画像との合致率を検出する合致率検出部と、
前記合致率検出部による検出結果に基づいて前記構図画像と前記被写体画像とが合致しているか否かを判定する判定部と、
を備えることを特徴とする撮像装置。
【請求項２】
前記構図画像内に少なくとも１つの所定領域を設定する所定領域設定部を更に備え、
前記合致率検出部は、前記所定領域設定部により設定された前記所定領域の輪郭部と、前記被写体画像内の前記輪郭部に対応する部分との合致率を検出することを特徴とする請求項１記載の撮像装置。
【請求項３】
前記輪郭部のサイズは、変更可能であることを特徴とする請求項２記載の撮像装置。
【請求項４】
前記合致率検出部は、前記所定領域設定部により設定された前記所定領域の周辺部と前記被写体画像内の前記周辺部に対応する部分との不合致率を検出し、
前記判定部は、前記合致率検出部により検出された前記輪郭部の合致率及び前記周辺部の不合致率に基づいて判定を行うことを特徴とする請求項２または請求項３記載の撮像装置。
【請求項５】
前記周辺部のサイズは、変更可能であることを特徴とする請求項４記載の撮像装置。
【請求項６】
前記判定部は、前記周辺部における前記不合致率が第２所定値以上である場合、前記輪郭部における前記合致率が第１所定値以上であっても前記被写体画像と前記構図画像とが合致していないと判定することを特徴とする請求項４または請求項５記載の撮像装置。  
【請求項７】
前記第１所定値及び前記第２所定値は、変更可能であることを特徴とする請求項６記載の撮像装置。
【請求項８】
前記判定部による判定結果を報知する判定結果報知部を更に備えることを特徴とする請求項１乃至請求項７のいずれか一項に記載の撮像装置。
【請求項９】
前記判定部により前記被写体画像と前記構図画像とが合致していると判定された場合、前記撮像素子により前記被写体光の撮像を実行することを特徴とする請求項１乃至請求項８のいずれか一項に記載の撮像装置。
【請求項１０】
前記判定部により前記被写体画像と前記構図画像とが合致していると判定されるまで前記撮像素子による撮像を禁止し、前記判定部により前記被写体画像と構図画像とが合致していると判定されたとき前記撮像素子による撮像を許可することを特徴とする請求項１乃至請求項８のいずれか一項に記載の撮像装置。
【請求項１１】
前記構図画像データは、前記撮像素子から出力された前記撮像信号に基づいて前記画像処理部により生成可能であることを特徴とする請求項１乃至請求項１０のいずれか一項に記載の撮像装置。
【発明の詳細な説明】
【技術分野】
【０００１】
本発明は、所望の構図に合致した被写体の像を撮像する撮像装置に関するものである。
【背景技術】
【０００２】
撮影するシーン（例えば、人物、風景、夜景等）に合わせて、予め記憶されている複数の撮影シーン別モードの中から最適なモードを自動選択する機能を備えたカメラ装置が提案されている（例えば、特許文献１参照）。また、撮りたい構図の被写体を撮影するときのカメラの姿勢を予め検出し、検出結果を用いてカメラの姿勢を調整することにより撮りたい構図に合致した被写体の撮影を行なうことができる撮影装置が提案されている（例えば、特許文献２参照）。
【特許文献１】特開２００７−２０８７５７号公報
【特許文献２】特開２００５−１２８４３７号公報
【発明の開示】
【発明が解決しようとする課題】
【０００３】
ところで、特許文献１記載のカメラ装置においては、予め記憶されている撮影シーン別モードの中から最適なモードを選択することができるのみで、撮影者が撮りたい構図に合致した被写体の撮影を支援する機能を有するものではない。また、特許文献２記載の撮影装置においては、撮りたい構図と撮影する画像との合致率を判定する機能を備えていないため、カメラ姿勢の補正がなされると、撮りたい構図と異なる画像を映し出していても、映し出されている画像が撮りたい構図に合致していると判断されてしまう場合がある。
【０００４】
本発明の課題は、所望の構図を作成することができ、かつ所望の構図に合致した所望の被写体像を確実に撮像することができる撮像装置を提供することである。
【課題を解決するための手段】
【０００５】
本発明の撮像装置は、被写体光の撮像を行ない撮像信号を生成する撮像素子と、前記撮像信号に基づく被写体画像データを生成する画像処理部と、前記被写体画像データを記憶する第１記憶部と、構図画像データを取得する構図画像データ取得部と、前記構図画像データ取得部により取得した前記構図画像データを記憶する第２記憶部と、前記第１記憶部に記憶されている前記被写体画像データに基づく前記被写体画像と、前記第２記憶部に記憶されている前記構図画像データに基づく構図画像との合致率を検出する合致率検出部と、前記合致率検出部による検出結果に基づいて前記構図画像と前記被写体画像とが合致しているか否かを判定する判定部とを備えることを特徴とする。
【発明の効果】
【０００６】
本発明の撮像装置によれば、構図画像データを取得する構図画像データ取得部を備えているため、所望の構図画像を作成することができる。そして、被写体画像と構図画像との合致率を検出する合致率検出部及び合致率検出部による検出結果に基づいて構図画像と被写体画像とが合致しているか否かを判定する判定部を備えているため、所望の構図画像に合致した所望の被写体を確実に撮影することができる。
【発明を実施するための最良の形態】
【０００７】
以下、図面を参照して本発明の第１の実施の形態に係る電子カメラ（撮像装置）について説明する。図１は、第１の実施の形態に係る電子カメラ２の概略構成を示すブロック図である。このカメラは、一眼レフ方式の電子カメラである。但し、本発明が適用可能なカメラとしては、一眼レフ方式の電子カメラに限定されず、コンパクトデジタルカメラやその他の電子カメラであってもよい。また、本発明は、一般的にカメラと称呼される装置にも限定されず、撮像（撮影）機能を備えた電子装置等にも適用可能である。
【０００８】
図１に示すように、電子カメラ２は、マイクロコンピュータ等によって構成される制御部４を備えている。制御部４は、後述するメモリ１１から制御プログラムを読み込み、実行することにより、この電子カメラ２の各部を統括的に制御する。
【０００９】
バス５は、制御部４から出力される制御信号を電子カメラ２の各部に送信するための送信路である。バス５には、Ａ／Ｄ変換回路８、画像処理部１０、メモリ１１、記録媒体１２、バッファメモリ１４及び操作部１８が接続されている。
【００１０】
撮像素子６は、ＣＣＤまたはＣＭＯＳ等により構成され、図示しない撮影レンズを透過した被写体光を撮像し、撮像した被写体の像を光電変換して生成される撮像信号（蓄積電荷としてのアナログ信号）をＡ／Ｄ変換回路８に対して出力する。撮像素子６から出力された撮像信号は、Ａ／Ｄ変換回路８においてゲイン調整などの処理が行われた後にアナログ信号からデジタル信号に変換され、画像処理部１０に送信される。
【００１１】
画像処理部１０は、Ａ／Ｄ変換回路８から出力されるデジタル信号に基づく被写体画像データに対して、ホワイトバランス調整、シャープネス調整、ガンマ補正、階調調整等の画像処理を行う。バッファメモリ１４は、画像処理部１０により画像処理された被写体画像データ等を一時的に記憶する。また、メモリ１１は、制御部４が制御を行うための制御プログラム等を記憶している。
【００１２】
記録媒体（第１記憶部）１２は、電子カメラ２に設けられたカードスロット（図示せず）に着脱可能に装着される可搬性を有する記録媒体であり、例えば、ＣＦカード、ＳＤカード、スマートメディア等が用いられる。記録媒体１２には、撮影日時等の撮影に関する情報と共に、Ｅｘｉｆ（Ｅｘｃｈａｎｇａｂｌｅ  ｉｍａｇｅ  ｆｉｌｅ  ｆｏｒｍａｔ）等の所定の形式で被写体画像データが記録される。
【００１３】
画像表示部１６には、記録媒体１２に記録された画像または撮像素子６からのリアルタイム画像であるライブビュー画像（スルー画像）等を表示することができる。また、この画像表示部１６には、撮影情報やメニュー（選択項目）等の後述する操作部１８による操作に関する情報等を表示することもできる。
【００１４】
操作部１８は、電子カメラ２本体の上部や背面に設けられた、撮影者（ユーザー）が指示内容を手動入力するための各種のスイッチ、ボタン、ダイヤル、キー等から構成されている。具体的には、撮影等を指示するためのレリーズボタン、画像表示部１６にメニュー等を表示させるためのメニューボタン、メニュー項目等の選択やカーソルを移動させる等のための十字キー、決定ボタン（ＯＫボタン）等が設けられている。
【００１５】
ところで、この実施の形態に係る電子カメラ２においては、撮影者が撮りたい構図（所望の構図）を作成し記憶することができ、かつ作成された所望の構図に合致した被写体の撮影を行うことができる。そこで、図２に示すフローチャートを参照して、この実施の形態に係る電子カメラ２において所望の構図を作成するための処理について説明する。
【００１６】
まず、撮影者により所望の構図の撮影が行われる。制御部（構図画像データ取得部）４は、撮像素子６から出力された撮像信号に基づいて画像処理部１０により生成された構図画像データを取得する（ステップＳ１０）。なお、パソコン等の外部装置や記録媒体等に予め記憶されている画像から構図画像データを取得してもよい。
【００１７】
次に、制御部４は、図３に示すように、構図画像２０を複数のエリア（ｍ×ｎ）に分割する。エリアの数、即ちｍ及びｎの値は操作部１８を用いて設定することにより変更可能であり、設定されているエリアの数の情報はメモリ１１に記憶されている。
【００１８】
制御部４は、図３に示す複数のエリアに分割された構図画像２０を画像表示部１６に表示させる。そして、図４に示すように、撮影者により操作部１８（十字キー、決定ボタン）を用いて画像表示部１６に表示されている構図画像２０の検出領域（所定領域）２２が指定される。制御部（所定領域設定部）４は、操作部１８の操作信号を受信することにより撮影者により指定された検出領域２２の設定を行う（ステップＳ１１）。即ち、制御部４は、図４に示すように、１６×１２個のエリアから選択された６×８個のエリアのエリア画像及びエリア位置のデータを取得し、メモリ（第２記憶部）１１に記憶させる。ここで、検出領域とは、撮影者が構図に設定したい画像が映されている領域であって、後に撮影する被写体の画像と合致させたい部分である。また、例えば、図５に示すように、１つの構図画像２０内に複数の検出領域２２ａ，２２ｂを設定してもよい。また、例えば、図６に示すように、検出領域２３ａの一部と重なる他の検出領域２３ｂを設定してもよい。
【００１９】
次に、制御部４は、検出領域２２と後に撮影する被写体とが合致しているか否かの判定を行うために用いられる判定値を算出する（ステップＳ１２）。まず、制御部４は、図７に示すように、検出領域２２の１エリア内側の輪郭部（図７において斜線で示す領域）を評価エリア２４とし、評価エリア２４内のエリアの数Ｊをカウントする。また、評価エリア２４を構成する個々のエリア内の輝度Ｂ１〜ＢＪの平均値ＹＪ（＝（Ｂ１＋Ｂ２＋…＋ＢＪ）／Ｊ）を算出する。なお、検出領域が複数ある場合は、検出領域毎に評価エリア内のエリアの数Ｊをカウントする。そして、検出領域毎に評価エリアを構成する個々のエリア内の輝度の平均値ＹＪを算出し、算出された検出領域毎の輝度の平均値ＹＪを更に平均化した値Ｙａｖｅを算出する。検出領域が１つの場合は、Ｙａｖｅ＝ＹＪとなる。
【００２０】
次に、制御部４は、構図画像２０全体を構成する個々のエリア内の輝度の平均値Ｙを算出し、Ｙに対するＹａｖｅの割合Ｙｇ（Ｙｇ＝Ｙａｖｅ／Ｙ）を判定値とする。カウントされたエリアの数Ｊ及び算出された判定値Ｙｇは、メモリ１１に記憶される。
【００２１】
また、制御部４は、図７に示すように、検出領域２２の１エリア外側の周辺部（図７において破線で示すエリア内）をＮＧ評価エリア２６とし、ＮＧ評価エリア２６内のエリアの数Ｋをカウントする。カウントされたエリアの数Ｋは、メモリ１１に記憶される。
【００２２】
なお、評価エリア２４及びＮＧ評価エリア２６のサイズは、変更可能に構成されている。即ち、エリアの数、即ちｍ及びｎの値が変更された場合、評価エリア２４及びＮＧ評価エリア２６のサイズも変更される。ｍ及びｎの値が大きく設定されるとエリアの数が増大し、評価エリア２４及びＮＧ評価エリア２６は小さくなる。一方、ｍ及びｎの値が小さく設定されるとエリアの数は減少し、評価エリア２４及びＮＧ評価エリア２６は大きくなる。
【００２３】
次に、図８に示すフローチャートを参照して、この実施の形態に係る電子カメラ２において所望の構図に合致した被写体の撮影を行うための処理について説明する。
【００２４】
まず、撮影者により操作部１８（十字キー、決定ボタン）を用いて構図撮影モード（所望の構図に合致した画像の撮影を行うモード）が選択される。制御部４は、操作部１８の操作信号を受信すると、図９に示すように、撮像素子６からのリアルタイム画像であるスルー画像（撮影しようとしている被写体画像、図９中の円内の領域）２８及びメモリ１１に記憶されている検出領域（構図画像）２２を画像表示部１６に重畳表示させる（ステップＳ２０）。
【００２５】
次に、制御部４は、メモリ１１に記憶されている判定値Ｙｇ（図２のステップＳ１２において算出）及び評価エリア２４のエリアの数Ｊ（図９においてはエリアａ１〜ａ１８の数Ｊ＝１８）を読み込む。次に、制御部４は、スルー画像２８内の、評価エリア２４を構成するエリアａ１に対応する部分の輝度（以下、評価値という。）Ｙａ１を検出する（ステップＳ２１）。
【００２６】
そして、制御部４は、評価値Ｙａ１と判定値Ｙｇとを比較する（ステップＳ２２）。即ち、評価値Ｙａ１が判定値Ｙｇより大きいか否かを判定する。評価値Ｙａ１が判定値Ｙｇより大きい場合はスルー画像２８内のエリアａ１に対応する部分は合致していると判定し、評価値Ｙａ１が判定値Ｙｇ以下の場合はスルー画像２８内のエリアａ１に対応する部分は合致していないと判定する。
【００２７】
同様に、制御部４は、スルー画像２８内の、評価エリア２４を構成するエリアａ２〜ａ１８に対応する部分の輝度（以下、評価値という。）Ｙａ２〜Ｙａ１８をそれぞれ検出する。そして、評価値Ｙａ２〜Ｙａ１８のそれぞれが判定値Ｙｇより大きいか否かを判定する。そして、制御部４は、評価エリア２４内で合致していると判定されたエリアの数Ｌをカウントする。図９においては斜線で示すエリアａ２〜ａ４，ａ６〜ａ９，ａ１１〜ａ１３，ａ１５〜ａ１８が評価エリア２４内で合致していると判定されたエリアであり、Ｌ＝１４である。
【００２８】
次に、制御部４は、評価エリア２４のエリアの数Ｊに対する合致していると判定されたエリアの数Ｌの値（合致率）ｆ（＝Ｌ／Ｊ）を算出（検出）し（ステップＳ２３、合致率検出部）、算出された合致率ｆが予め設定されている第１所定値Ｆ以上であるか否かを判定する（ステップＳ２４、判定部）。合致率ｆが第１所定値Ｆ以上である場合はスルー画像２８内の評価エリア２４に対応する部分は合致していると判定し、合致率ｆが第１所定値Ｆより小さい場合はスルー画像２８内の評価エリア２４に対応する部分は合致していないと判定する。なお、第１所定値Ｆは操作部１８を用いて設定することにより変更可能であり、設定されている第１所定値Ｆはメモリ１１に記憶されている。
【００２９】
この実施の形態においては、第１所定値ＦがＦ＝０．５（５０％）で設定されているものとして説明する。図９に示すように、評価エリア２４のエリアの数Ｊ＝１８、合致していると判定されたエリアの数Ｌ＝１４、合致率ｆ＝１４／１８＝０．７８であり、合致率ｆは第１所定値Ｆより大きい。したがって、制御部４は、スルー画像２８内の評価エリア２４に対応する部分は合致していると判定し（ステップＳ２４、Ｙｅｓ）、次のステップ（ステップＳ２５）に進む。
【００３０】
一方、図１０に示す場合においては、評価エリア２４のエリアの数Ｊ＝１８、合致していると判定されたエリア（図１０において斜線で示すエリア）ａ２〜ａ４，ａ７，ａ１６〜ａ１８の数Ｌ＝７、合致率ｆ＝７／１８＝０．３９であり、合致率ｆは第１所定値Ｆより小さい。したがって、制御部４は、スルー画像２８内の評価エリア２４に対応する部分は合致していないと判定する（ステップＳ２４、Ｎｏ）。この場合に、撮影者は、構図画像である検出領域２２にスルー画像２８を合致させるために、スルー画像２８内の被写体の大きさ及び位置等を変更させる再調整を行う。制御部４は、撮影者による再調整の後、ステップＳ２０の処理に戻り、ステップＳ２４において合致していると判定されるまでステップＳ２０〜ステップＳ２４の処理を繰り返す。
【００３１】
なお、検出領域２２の輪郭部である評価エリア２４のみの評価を行い、検出領域２２の中心部の評価を行わないのは、例えばドーナツ型の画像を検出領域として設定した場合にドーナツ型の穴の部分の評価を行うことにより生じ得る誤った判定結果を回避するためである。
【００３２】
制御部４は、スルー画像２８内の評価エリア２４に対応する部分は合致していると判定した後、メモリ１１に記憶されている判定値Ｙｇ（図２のステップＳ１２において算出）及びＮＧ評価エリア２６のエリアの数Ｋ（図９においてはエリアｂ１〜ｂ２６の数Ｋ＝２６）を読み込む。次に、制御部４は、スルー画像２８内の、ＮＧ評価エリア２６を構成するエリアｂ１〜ｂ２６に対応する部分の輝度（以下、評価値という。）Ｙｂ１〜Ｙｂ２６をそれぞれ検出する（ステップＳ２５）。そして、評価値Ｙｂ１〜Ｙｂ２６のそれぞれと判定値Ｙｇとを比較する（ステップＳ２６）。評価値Ｙｂ１〜Ｙｂ２６のそれぞれが判定値Ｙｇより大きい場合はスルー画像２８内のエリアｂ１〜ｂ２６のそれぞれに対応する部分は不合致であると判定し、評価値Ｙｂ１〜Ｙｂ２６のそれぞれが判定値Ｙｇ以下の場合はスルー画像２８内のエリアｂ１〜ｂ２６のそれぞれに対応する部分は合致していると判定する。そして、制御部４は、不合致であると判定されたエリアの数Ｒをカウントする。図９に示すＮＧ評価エリア２６内で不合致であると判定されるエリアはなく、Ｒ＝０である。
【００３３】
次に、制御部４は、ＮＧ評価エリア２６のエリアの数Ｋに対する不合致であると判定されたエリアの数Ｒの値（不合致率）ｐ（＝Ｒ／Ｋ）を算出（検出）し（ステップＳ２７、合致率検出部）、算出された不合致率ｐが予め設定されている第２所定値ＦＮＧ以上であるか否かを判定する（ステップＳ２８、判定部）。不合致率ｐが第２所定値ＦＮＧ以上である場合はスルー画像２８内のＮＧ評価エリア２６に対応する部分は不合致であると判定し、不合致率ｐが第２所定値ＦＮＧより小さい場合はスルー画像２８内のＮＧ評価エリア２６に対応する部分は合致していると判定する。なお、第２所定値ＦＮＧは操作部１８を用いて設定することにより変更可能であり、設定されている第２所定値ＦＮＧはメモリ１１に記憶されている。
【００３４】
この実施の形態においては、第２所定値ＦＮＧがＦＮＧ＝０．２（２０％）で設定されているものとして説明する。図９に示すように、ＮＧ評価エリア２６のエリアの数Ｋ＝２６、不合致であると判定されたエリアの数Ｒ＝０、不合致率ｐ＝０であり、不合致率ｐは第２所定値ＦＮＧより小さい。したがって、制御部４は、スルー画像２８内のＮＧ評価エリア２６に対応する部分は合致していると判定し（ステップＳ２８、Ｎｏ）、ステップＳ２４における合致しているという判定結果とステップＳ２８における合致しているという判定結果からスルー画像２８と検出領域２２は合致していると判定する。そして、次のステップ（ステップＳ２９）に進む。
【００３５】
一方、図１１に示す場合においては、ＮＧ評価エリア２６のエリアの数Ｋ＝２６、不合致であると判定されたエリア（図１１においてドットで示すエリア）ｂ２〜ｂ５，ｂ２３〜ｂ２６の数Ｒ＝８、不合致率ｐ＝８／２６＝０．３１であり、不合致率ｐは第２所定値ＦＮＧより大きい。したがって、制御部４は、評価エリア２４において合致していると判定された場合であっても（図１１に示すエリアの数Ｊ＝１８、合致しているエリア（図１１において斜線で示すエリア）ａ１〜ａ４，ａ６〜ａ８，ａ１２，ａ１３，ａ１５〜ａ１８の数Ｌ＝１３、合致率ｆ＝１３／１８＝０．７２であり、合致率ｆは所定値Ｆ＝０．５より大きい。）、スルー画像２８内のＮＧ評価エリア２６に対応する部分が不合致であると判定された場合（ステップＳ２８、Ｙｅｓ）、スルー画像２８と検出領域２２は合致していないと判定する。
【００３６】
撮影者は、構図画像である検出領域２２にスルー画像２８を合致させるために、スルー画像２８内の被写体の大きさ及び位置等を変更させる再調整を行う。制御部４は、撮影者による再調整の後、ステップＳ２０の処理に戻り、ステップＳ２８において合致していると判定されるまでステップＳ２０〜ステップＳ２８の処理を繰り返す。
【００３７】
次に、制御部４は、判定結果を撮影者に報知する（ステップＳ２９、判定結果報知部）。例えば、スルー画像２８と検出領域２２が合致していると判定された場合、画像表示部１６に「ＯＫ」と表示させる。表示内容は「ＯＫ」に限らず、その他文字・記号であってもよく、合致していないと判定された場合に「ＮＧ」等と表示させてもよい。また、表示ではなく、音で報知するようにしてもよい。
【００３８】
次に、制御部４は、画像表示部１６に表示されているスルー画像２８の撮影を実行する（ステップＳ３０）。この場合、スルー画像２８と検出領域２２が合致していると判定した後、自動で撮影を行う構成にしてもよい。また、スルー画像２８と構図画像２２が合致していると判定されるまでレリーズボタンの操作を禁止し、スルー画像２８と構図画像２２が合致していると判定されたときレリーズボタンの操作を許可する構成にしてもよい。
【００３９】
この実施の形態に係る電子カメラによれば、撮りたい構図を撮影し、または外部装置等から構図を読み込むことにより、所望の構図（検出領域）を自在に作成することができる。また、スルー画像と検出領域の合致率を算出し、算出結果から合致しているか否かを判定するため、所望の構図（検出領域）に合致した所望のスルー画像を確実に撮影することができる。このように、予め所望の構図をセットしておき、合致しているか否かを判定する機能を備えることにより、例えば他人に撮影を依頼する際やセルフタイマー機能を用いて撮影を行う際、撮りたい構図と合致した被写体を確実に撮影することができる。
【００４０】
また、エリアの数を増大させることによりエリアの面積を小さくすることができるため、合致しているか否かの判定の精密度を高くすることができる。また、エリアの数を減少させることによりエリアの面積を大きくすることができるため、判定の処理速度を高くすることができる。また、第１所定値及び第２所定値を変更することにより合致しているか否かの判定の精密度を調整することができる。
【００４１】
なお、この実施の形態に係る電子カメラ２においては、複数の検出領域を設定した場合、検出領域毎に合致しているか否かの判定を行い、すべての検出領域において合致していると判定するまで、撮影者によるスルー画像２８内の被写体の大きさ及び位置等の調整が行われ、制御部４は合致しているか否かの判定を行う。すべての検出領域において合致していると判定されたとき、画像表示部１６に「ＯＫ」と表示され、スルー画像２８の撮影が実行される。この実施の形態に係る電子カメラによれば、例えば名所等の大きさ及び位置等を一方の検出領域に、人物の大きさ及び位置等を他方の検出領域に設定することにより所望の構図を作成することができ、所望の構図に合致した画像を自在に撮影することができる。
【図面の簡単な説明】
【００４２】
【図１】本発明の実施の形態に係る電子カメラの概略構成を示すブロック図である。
【図２】本発明の実施の形態に係る電子カメラの所望の構図を作成するための処理について説明するためのフローチャートである。
【図３】構図を複数のエリアに分割したものを示す図である。
【図４】構図内の検出領域を示す図である。
【図５】構図内の複数の検出領域を示す図である。
【図６】構図内の複数の検出領域を示す図である。
【図７】検出領域内の評価エリア及びＮＧ評価エリアを示す図である。
【図８】本発明の実施の形態に係る電子カメラの構図に合致した被写体を撮影するための処理について説明するためのフローチャートである。
【図９】検出領域とスルー画像とを重畳表示させた様子を示す図である。
【図１０】検出領域とスルー画像とを重畳表示させた様子を示す図である。
【図１１】検出領域とスルー画像とを重畳表示させた様子を示す図である。
【符号の説明】
【００４３】
２…電子カメラ、４…制御部、６…撮像素子、８…Ａ／Ｄ変換回路、１０…画像処理部、１１…メモリ、１２…記録媒体、１４…バッファメモリ、１６…画像表示部、１８…操作部。
【図１】
2010021674.tif 000003
【図２】
2010021674.tif 000004
【図３】
2010021674.tif 000005
【図４】
2010021674.tif 000006
【図５】
2010021674.tif 000007
【図６】
2010021674.tif 000008
【図７】
2010021674.tif 000009
【図８】
2010021674.tif 000010
【図９】
2010021674.tif 000011
【図１０】
2010021674.tif 000012
【図１１】
2010021674.tif 000013